(57)【要約】【課題】動画配信者端末からアップロードされる動画を、インターネットを介して視聴者端末で視聴させる動画配信システム、動画配信方法および動画配信プログラムを提供する。【解決手段】処理手段として、システム管理部１１と、顧客情報管理部１２と、動画管理部１３と、ウェブ情報送受信部１４と、メール配信部１５と、ワンタイムＵＲＬ管理部１６と、動画配信部１７と、動画変換部１８とを含み、記憶手段として、顧客情報データベース１９と、動画ストレージ２０と、トークンデータベース２１とを含む。【選択図】図１
2013229644.tif 000002
【特許請求の範囲】
【請求項１】
動画配信者端末からアップロードされる動画を、インターネットを介して視聴者端末で視聴させる動画配信システムであって、
顧客情報データベース、動画ストレージおよびトークンデータベースと、
データ通信回線で接続された前記動画配信者端末に対して操作画面を表示するシステム管理部と、
前記システム管理部に接続され、前記システム管理部によって表示された前記操作画面で、前記動画配信者端末によって入力される顧客情報およびメール配信情報を前記顧客情報データベースに保存する顧客情報管理部と、
前記システム管理部に接続され、前記システム管理部によって表示された前記操作画面で、前記動画配信者端末からアップロードされる前記動画を前記動画ストレージに保存する動画管理部と、
前記顧客情報管理部に接続され、前記視聴者端末に設置されたブラウザとの間で、ウェブ情報の送受信を行うウェブ情報送受信部と、
前記顧客情報管理部に接続され、前記メール配信情報をもとに前記顧客情報管理部から送信されるメール配信要求に従って、前記視聴者端末に設置されたメーラーに電子メールを配信するメール配信部と、
前記動画ストレージに接続され、前記動画ストレージに保存された前記動画を、前記視聴者端末のブラウザに設置されたプレイヤーで視聴可能な形式に変換する動画変換部と、
前記動画ストレージに接続され、前記動画変換部によって前記プレイヤーで視聴可能な形式に変換され、前記動画ストレージに保存された前記動画を前記視聴者端末に配信する動画配信部と、
前記顧客情報管理部と前記動画配信部に接続され、前記視聴者端末から動画再生リクエストを受信した前記顧客情報管理部からの要求により、動画再生用のトークンとワンタイムＵＲＬを発行して、前記トークンをトークンデータベースに保存するとともに、前記視聴者端末から前記ワンタイムＵＲＬへのアクセスを受信した前記動画配信部からの要求により、前記トークンデータベースに保存した前記トークンを検索してトークン認証を行うワンタイムＵＲＬ管理部
とを含むことを特徴とする動画配信システム。
【請求項２】
前記動画管理部は、前記システム管理部から指定された動画を視聴するための視聴ページＵＲＬを発行して前記システム管理部に送信し、
前記顧客情報管理部は、前記システム管理部によって前記視聴ページＵＲＬを追加された前記メール配信情報を前記顧客情報データベースに保存する
ことを含む請求項１に記載の動画配信システム。
【請求項３】
顧客情報データベース、動画ストレージおよびトークンデータベースを具備するコンピュータによって、動画配信者端末からアップロードされる動画を、インターネットを介して視聴者端末で視聴させる動画配信方法であって、
前記動画配信者端末から入力されたユーザ情報に自動生成した会員ＩＤを付与して、前記顧客情報データベースに保存し、
前記動画配信者端末から入力された視聴者のメールアドレスにアドレスＩＤを付与して、前記顧客情報データベースに保存し、
前記動画配信者端末からアップロードされた前記動画に自動生成したコンテンツＩＤを付与して、前記会員ＩＤとともに前記動画ストレージに保存し、
前記動画配信者端末から配信先の視聴者と配信対象の動画を指定して入力されたメール配信情報に自動生成したメールＩＤを付与して、指定された前記視聴者のアドレスＩＤおよび前記動画のコンテンツＩＤを関連付けて、前記会員ＩＤとともに前記顧客情報データベースに保存し、
前記会員ＩＤと指定された前記動画のコンテンツＩＤをキーに前記動画ストレージを検索して所在を確認し、前記動画の視聴ページＵＲＬを発行し、前記顧客情報データベースに保存した前記メール配信情報に追加し、
指定された前記視聴者が前記視聴ページＵＲＬにログインする際に必要なログインパスワードを発行し、前記顧客情報データベースに保存した前記メール配信情報に追加し、
前記メール配信情報に従って、指定された前記視聴者に電子メールを配信し、
前記視聴者から前記視聴者端末のメーラーで受信された前記電子メールに設定された前記視聴ページＵＲＬにアクセスがあると、前記視聴者端末から視聴者端末情報を取得し、前記視聴者端末のブラウザにログイン画面を表示し、
前記視聴者端末から前記ログイン画面に入力されたメールアドレスとログインパスワードを、前記顧客情報データベースに保存した前記ログインパスワードと照合して視聴者認証をし、
前記動画を再生する際の認証に利用するトークンＩＤを発行し、前記動画のコンテンツＩＤとともに前記トークンデータベースに保存し、
前記動画のコンテンツＩＤと、前記トークンＩＤと、前記視聴者端末で動画を再生させるための設定情報と、前記視聴者のアドレスＩＤを含めたワンタイムＵＲＬを作成し、前記視聴者端末に送信して、前記視聴者端末の前記ブラウザにプレイヤーを表示し、
前記視聴者端末の前記プレイヤーに設定された再生ボタンがクリックされることで、前記ワンタイムＵＲＬに含まれた前記動画のコンテンツＩＤと前記トークンＩＤを受信して、前記トークンデータベースに保存されたコンテンツＩＤとトークンＩＤと照合してトークン認証をし、
前記動画のコンテンツＩＤをキーに前記動画ストレージから該当する動画を検索し、ファイル形式を前記視聴者端末の前記ブラウザに表示された前記プレイヤーで再生可能な形式で送信する
ことを特徴とする動画配信方法。
【請求項４】
前記顧客情報データベースに保存した前記メール配信情報に動画配信期間を含み、前記視聴者端末から前記視聴ページＵＲＬにアクセスがあった日付が前記配信期間内か判定して再生権利確認をすることをさらに含む請求項３に記載の動画配信方法。
【請求項５】
前記トークンＩＤを発行して前記トークンデータベースに保存するときに、前記動画を視聴できる残視聴回数を前記トークンデータベースに保存し、
前記トークン認証時に、前記残視聴回数がゼロになっていないか判定するとともに、前記残視聴回数を減算して更新する
ことをさらに含む請求項４に記載の動画配信方法。
【請求項６】
動画配信者端末からアップロードされる動画を、インターネットを介して視聴者端末で視聴させるために、顧客情報データベース、動画ストレージおよびトークンデータベースを具備するコンピュータによって実行される動画配信プログラムであって、
前記コンピュータに、
前記動画配信者端末から入力されたユーザ情報に自動生成した会員ＩＤを付与して、前記顧客情報データベースに保存させ、
前記動画配信者端末から入力された視聴者のメールアドレスにアドレスＩＤを付与して、前記顧客情報データベースに保存させ、
前記動画配信者端末からアップロードされた前記動画に自動生成したコンテンツＩＤを付与して、前記会員ＩＤとともに前記動画ストレージに保存させ、
前記動画配信者端末から配信先の視聴者と配信対象の動画を指定して入力されたメール配信情報に自動生成したメールＩＤを付与して、指定された前記視聴者のアドレスＩＤおよび前記動画のコンテンツＩＤを関連付けて、前記会員ＩＤとともに前記顧客情報データベースに保存させ、
前記会員ＩＤと指定された前記動画のコンテンツＩＤをキーに前記動画ストレージを検索して所在を確認し、前記動画の視聴ページＵＲＬを発行し、前記顧客情報データベースに保存した前記メール配信情報に追加させ、
指定された前記視聴者が前記視聴ページＵＲＬにログインする際に必要なログインパスワードを発行し、前記顧客情報データベースに保存した前記メール配信情報に追加させ、
前記メール配信情報に従って、指定された前記視聴者に電子メールを配信させ、
前記視聴者から前記視聴者端末のメーラーで受信された前記電子メールに設定された前記視聴ページＵＲＬにアクセスがあると、前記視聴者端末から視聴者端末情報を取得し、前記視聴者端末のブラウザにログイン画面を表示させ、
前記視聴者端末から前記ログイン画面に入力されたメールアドレスとログインパスワードを、前記顧客情報データベースに保存した前記ログインパスワードと照合して視聴者認証をさせ、
前記動画を再生する際の認証に利用するトークンＩＤを発行し、前記動画のコンテンツＩＤとともに前記トークンデータベースに保存させ、
前記動画のコンテンツＩＤと、前記トークンＩＤと、前記視聴者端末で動画を再生させるための設定情報と、前記視聴者のアドレスＩＤを含めたワンタイムＵＲＬを作成し、前記視聴者端末に送信して、前記視聴者端末の前記ブラウザにプレイヤーを表示させ、
前記視聴者端末の前記プレイヤーに設定された再生ボタンがクリックされることで、前記ワンタイムＵＲＬに含まれた前記動画のコンテンツＩＤと前記トークンＩＤを受信して、前記トークンデータベースに保存されたコンテンツＩＤとトークンＩＤと照合してトークン認証をさせ、
前記動画のコンテンツＩＤをキーに前記動画ストレージから該当する動画を検索し、ファイル形式を前記視聴者端末の前記ブラウザに表示された前記プレイヤーで再生可能な形式で送信させる
ことを特徴とする動画配信プログラム。
【請求項７】
前記顧客情報データベースに保存した前記メール配信情報に動画配信期間を含み、前記視聴者端末から前記視聴ページＵＲＬにアクセスがあった日付が前記配信期間内か判定して再生権利確認をさせることをさらに含む請求項６に記載の動画配信プログラム。
【請求項８】
前記トークンＩＤを発行して前記トークンデータベースに保存するときに、前記動画を視聴できる残視聴回数を前記トークンデータベースに保存させ、
前記トークン認証時に、前記残視聴回数がゼロになっていないか判定するとともに、前記残視聴回数を減算して更新させる
ことをさらに含む請求項７に記載の動画配信プログラム。
【発明の詳細な説明】
【技術分野】
【０００１】
本発明は、作成した動画を視聴者に配信するための動画配信の技術分野に関する。詳細には、インターネット上に作成した動画をアップロードした後に、電子メールにより視聴者に視聴手段を通知することで視聴させる動画配信システム、動画配信方法および動画配信プログラムに関する。
【背景技術】
【０００２】
近年、種々のデジタル動画作成機器やツールの開発により、動画を作成して利用する機会が増大している。一般的に、作成した動画を利用者に視聴させるために、作成者は作成した動画データを電子メールに添付して利用者に直接送付し、利用者は添付されてきた動画を利用者の端末に保存した後で再生させて視聴する。また、作成した動画を作成者のホームページに貼り付け、利用者が作成者のホームページにアクセスすることで視聴する手段もある。
【０００３】
しかし、長時間の動画が容易に作成できるようになり、さらに動画の画質が向上するにつれ、動画のデータサイズが大きくなっている。そのようなデータサイズの大きな動画を電子メールに添付すると、電子メールの送受信に長時間を要し、もしくはプロバイダ側の制限により送付が出来ないこととなる。ホームページにデータサイズの大きな動画を貼り付ける場合にも、同様の問題が発生する。
【０００４】
そこで、特許文献１に開示されているように、書き込む動画のデータサイズを一定値以下に抑える技術が開発されている。
【０００５】
また、特許文献２に開示されているように、ホームページを表示するためのホームページデータを格納したウェブサーバと、動画をアドレスによって関連づけて格納した動画サーバを設置し、ホームページに当該アドレスを貼り付けることで、ホームページに使用されるデータ量を何ら増大させることなく、動画を表示させる技術も開発されている。
【先行技術文献】
【特許文献】
【０００６】
【特許文献１】特開２００２−１５９００２号公報
【特許文献２】特開２００８−２７１１９５号公報
【発明の概要】
【発明が解決しようとする課題】
【０００７】
上述したように、データサイズが大きい動画を電子メールに添付して、利用者に直接送付するには長時間を要してしまう。
【０００８】
さらに、電子メールに添付した場合、作成した動画自体を利用者に送付することになるため、利用者に動画をコピーされてしまったり、利用者以外に転送されてしまったりする。そのため、作成者が動画の管理を行うことができなくなってしまう。
【０００９】
一方、特許文献２のように、動画サーバを設置し、ホームページに動画のアドレスを貼り付けて、アクセスすることで利用者に視聴させる方法では、動画を動画サーバにアップロードして視聴可能状態としても、利用者がその時点でそのことを知らされなければ、タイムリーに視聴させることができない。
【００１０】
本発明は、以上の課題を解決するためになされたもので、電子メールに添付して利用者に動画を直接送付する代わりに、インターネット上に動画をアップロードした後に、電子メールにより利用者に視聴手段を通知する一連の操作を実行できる動画配信システム及び動画配信プログラムを得ることを目的とする。
【課題を解決するための手段】
【００１１】
本発明の動画配信システムは、顧客情報データベース、動画ストレージおよびトークンデータベースと、データ通信回線で接続された動画配信者端末に対して操作画面を表示するシステム管理部と、システム管理部に接続され、システム管理部によって表示された操作画面で、動画配信者端末によって入力される顧客情報およびメール配信情報を顧客情報データベースに保存する顧客情報管理部と、システム管理部に接続され、システム管理部によって表示された操作画面で、動画配信者端末からアップロードされる動画を動画ストレージに保存する動画管理部と、顧客情報管理部に接続され、視聴者端末に設置されたブラウザとの間で、ウェブ情報の送受信を行うウェブ情報送受信部と、顧客情報管理部に接続され、メール配信情報をもとに顧客情報管理部から送信されるメール配信要求に従って、視聴者端末に設置されたメーラーに電子メールを配信するメール配信部と、動画ストレージに接続され、動画ストレージに保存された動画を、視聴者端末のブラウザに設置されたプレイヤーで視聴可能な形式に変換する動画変換部と、動画ストレージに接続され、動画変換部によってプレイヤーで視聴可能な形式に変換され、動画ストレージに保存された動画を視聴者端末に配信する動画配信部と、顧客情報管理部と動画配信部に接続され、視聴者端末から動画再生リクエストを受信した顧客情報管理部からの要求により、動画再生用のトークンとワンタイムＵＲＬを発行して、トークンをトークンデータベースに保存するとともに、視聴者端末からワンタイムＵＲＬへのアクセスを受信した動画配信部からの要求により、トークンデータベースに保存したトークンを検索してトークン認証を行うワンタイムＵＲＬ管理部とを含むことを要旨とする。
【００１２】
また、本発明の動画配信方法は、動画配信者端末から入力されたユーザ情報に自動生成した会員ＩＤを付与して、顧客情報データベースに保存し、動画配信者端末から入力された視聴者のメールアドレスにアドレスＩＤを付与して、顧客情報データベースに保存し、動画配信者端末からアップロードされた動画に自動生成したコンテンツＩＤを付与して、会員ＩＤとともに動画ストレージに保存し、動画配信者端末から配信先の視聴者と配信対象の動画を指定して入力されたメール配信情報に自動生成したメールＩＤを付与して、指定された視聴者のアドレスＩＤおよび動画のコンテンツＩＤを関連付けて、会員ＩＤとともに顧客情報データベースに保存し、会員ＩＤと指定された動画のコンテンツＩＤをキーに動画ストレージを検索して所在を確認し、動画の視聴ページＵＲＬを発行し、顧客情報データベースに保存したメール配信情報に追加し、指定された視聴者が視聴ページＵＲＬにログインする際に必要なログインパスワードを発行し、顧客情報データベースに保存したメール配信情報に追加し、メール配信情報に従って、指定された視聴者に電子メールを配信し、視聴者から視聴者端末のメーラーで受信された電子メールに設定された視聴ページＵＲＬにアクセスがあると、視聴者端末から視聴者端末情報を取得し、視聴者端末のブラウザにログイン画面を表示し、視聴者端末からログイン画面に入力されたメールアドレスとログインパスワードを、顧客情報データベースに保存したログインパスワードと照合して視聴者認証をし、動画を再生する際の認証に利用するトークンＩＤを発行し、動画のコンテンツＩＤとともにトークンデータベースに保存し、動画のコンテンツＩＤと、トークンＩＤと、視聴者端末で動画を再生させるための設定情報と、視聴者のアドレスＩＤを含めたワンタイムＵＲＬを作成し、視聴者端末に送信して、視聴者端末のブラウザにプレイヤーを表示し、視聴者端末のプレイヤーに設定された再生ボタンがクリックされることで、ワンタイムＵＲＬに含まれた動画のコンテンツＩＤとトークンＩＤを受信して、トークンデータベースに保存されたコンテンツＩＤとトークンＩＤと照合してトークン認証をし、動画のコンテンツＩＤをキーに動画ストレージから該当する動画を検索し、ファイル形式を視聴者端末のブラウザに表示されたプレイヤーで再生可能な形式で配信することを要旨とする。
【００１３】
さらに、本発明の動画配信プログラムは、コンピュータに、動画配信者端末から入力されたユーザ情報に自動生成した会員ＩＤを付与して、顧客情報データベースに保存させ、動画配信者端末から入力された視聴者のメールアドレスにアドレスＩＤを付与して、顧客情報データベースに保存させ、動画配信者端末からアップロードされた動画に自動生成したコンテンツＩＤを付与して、会員ＩＤとともに動画ストレージに保存させ、動画配信者端末から配信先の視聴者と配信対象の動画を指定して入力されたメール配信情報に自動生成したメールＩＤを付与して、指定された視聴者のアドレスＩＤおよび動画のコンテンツＩＤを関連付けて、会員ＩＤとともに顧客情報データベースに保存させ、会員ＩＤと指定された動画のコンテンツＩＤをキーに動画ストレージを検索して所在を確認し、動画の視聴ページＵＲＬを発行し、顧客情報データベースに保存したメール配信情報に追加させ、指定された視聴者が視聴ページＵＲＬにログインする際に必要なログインパスワードを発行し、顧客情報データベースに保存したメール配信情報に追加させ、メール配信情報に従って、指定された視聴者に電子メールを配信させ、視聴者から視聴者端末のメーラーで受信された電子メールに設定された視聴ページＵＲＬにアクセスがあると、視聴者端末から視聴者端末情報を取得し、視聴者端末のブラウザにログイン画面を表示させ、視聴者端末からログイン画面に入力されたメールアドレスとログインパスワードを、顧客情報データベースに保存したログインパスワードと照合して視聴者認証をさせ、動画を再生する際の認証に利用するトークンＩＤを発行し、動画のコンテンツＩＤとともにトークンデータベースに保存させ、動画のコンテンツＩＤと、トークンＩＤと、視聴者端末で動画を再生させるための設定情報と、視聴者のアドレスＩＤを含めたワンタイムＵＲＬを作成し、視聴者端末に送信して、視聴者端末のブラウザにプレイヤーを表示させ、視聴者端末のプレイヤーに設定された再生ボタンがクリックされることで、ワンタイムＵＲＬに含まれた動画のコンテンツＩＤとトークンＩＤを受信して、トークンデータベースに保存されたコンテンツＩＤとトークンＩＤと照合してトークン認証をさせ、動画のコンテンツＩＤをキーに動画ストレージから該当する動画を検索し、ファイル形式を視聴者端末のブラウザに表示されたプレイヤーで再生可能な形式で配信させることを要旨とする。
【発明の効果】
【００１４】
本発明では、動画を動画ストレージにアップロードして管理し、視聴のためにワンタイムＵＲＬ（Ｕｎｉｆｏｒｍ  Ｒｅｓｏｕｒｃｅ  Ｌｏｃａｔｏｒ）を利用することで、動画の視聴制限やコピー防止等のセキュリティ対策を行うことができる。
【００１５】
また、本発明では、動画ストレージにアップロードした動画リストから動画を選択し、電子メールの送信先アドレスを設定するだけで、電子メールにアクセス先等の視聴手段を自動的に設定して、動画の通知メールを送信することができる。
【００１６】
さらに、本発明では、動画ストレージにアップロードした動画を動画変換部により、視聴者の端末に応じた形式の動画のデータとして動画ストレージ内に保存しており、視聴者の端末に合わせた動画形式で配信するので、視聴者の端末種別にかかわらず利用することができる。
【図面の簡単な説明】
【００１７】
【図１】本発明の第１の形態の動画配信システムの構成図
【図２】本発明の第２の形態の動画配信システムの構成図
【図３】会員情報テーブルのデータ構成図
【図４】アドレステーブル、アドレスグループテーブル、およびアドレス帳テーブルのデータ構成図
【図５】メール情報テーブル、動画メール関連付けテーブル、メール詳細テーブル、およびメール配信テーブルのデータ構成図
【図６】動画情報テーブルのデータ構成図
【図７】トークン管理テーブルのデータ構成図
【図８】動画アップロードからメール受信までの処理シーケンス図
【図９】視聴ページから動画再生するまでの処理シーケンス図
【図１０】動画配信システムへのログイン画面
【図１１】動画配信システムへのユーザ情報登録画面
【図１２】（ａ）アドレス帳へのグループ登録画面、（ｂ）アドレス帳へのアドレス登録画面
【図１３】（ａ）動画配信システムへのアップロードする動画選択画面、（ｂ）動画配信システムへの動画アップロード画面、（ｃ）動画配信システムへの動画アップロード完了画面
【図１４】（ａ）メール情報設定画面、（ｂ）メール情報の内容確認画面、（ｃ）メール配信完了画面
【図１５】アドレス帳画面
【図１６】視聴ページへのログイン画面
【図１７】視聴ページの動画再生画面
【図１８】（ａ）メール配信履歴画面、（ｂ）メール配信状況確認画面
【発明を実施するための形態】
【００１８】
（システム構成）
本発明を１台のコンピュータで実施した場合の第１の形態では、図１に例示したように、動画配信システム１０は、コンピュータのプロセッサによって実際の処理が実行される処理手段として、システム管理部１１と、顧客情報管理部１２と、動画管理部１３と、ウェブ情報送受信部１４と、メール配信部１５と、ワンタイムＵＲＬ管理部１６と、動画配信部１７と、動画変換部１８とを含み、記憶手段として、顧客情報データベース１９と、動画ストレージ２０と、トークンデータベース２１とを含む。
【００１９】
また、本発明を複数のコンピュータで実施した場合の第２の形態では、図２に例示したように、動画配信システム１０ａは、処理手段として、システム管理サーバ１１ａと、システム管理サーバ１１ａにデータ通信回線で接続された顧客情報管理サーバ１２ａおよび動画管理サーバ１３ａと、顧客情報管理サーバ１２ａにデータ通信回線で接続されたウェブサーバ１４ａ、メール配信サーバ１５ａおよびワンタイムＵＲＬ管理サーバ１６ａと、ワンタイムＵＲＬ管理サーバ１６ａにデータ通信回線で接続された動画配信サーバ１７ａと、動画管理サーバ１３ａと動画ストレージ２０にデータ通信回線で接続された動画変換サーバ１８ａを含み、記憶手段として、顧客情報管理サーバ１２ａに接続された顧客情報データベース１９と、動画管理サーバ１３ａと動画変換サーバ１８ａに接続された動画ストレージ２０と、ワンタイムＵＲＬ管理サーバ１６ａに接続されたトークンデータベース２１とを含む。
【００２０】
ここで、第２の形態のシステム管理サーバ１１ａは第１の形態のシステム管理部１１に相当する。同様に、第２の形態の顧客情報管理サーバ１２ａ、動画管理サーバ１３ａ、ウェブサーバ１４ａ、メール配信サーバ１５ａ、ワンタイムＵＲＬ管理サーバ１６ａ、動画配信サーバ１７ａおよび動画変換サーバ１８ａは、それぞれ第１の形態の顧客情報管理部１２、動画管理部１３、ウェブ情報送受信部１４、メール配信部１５、ワンタイムＵＲＬ管理部１６、動画配信部１７および動画変換部１８に相当する。
【００２１】
したがって、以下の動画配信システム１０、１０ａの説明では、第１の形態の各手段の名称を用いるが、各々に相当する第２の形態の各サーバも意味する。
【００２２】
図１および図２に示したように、動画配信システム１０、１０ａにインターネットを介してアクセスする視聴者端末４０には、パーソナルコンピュータ（ＰＣ）４０ａと、インターネットアクセス機能を有する携帯電話機４０ｂおよび携帯情報端末４０ｃなどが含まれる。
【００２３】
また、図１および図２に示した各手段の接続構成は、データの送受信の経路を明確にするための例であって、物理的な接続を限定するものではない。さらに、図１および図２に示した各手段のいくつかを統合してシステムを構成することは容易に想到し得ることであり、本発明の技術的思想の範囲に含まれる。
【００２４】
（処理手段）
システム管理部１１は、動画配信システム１０にデータ通信回線で接続された動画配信者端末３０に対して各種操作メニュ画面を表示し、動画配信者端末３０からの選択指示に従って、該当する処理手段を起動させる。
【００２５】
顧客情報管理部１２は、システム管理部１１に接続され、動画配信者端末３０からの顧客情報およびメール配信のためのデータの登録、変更及び削除の指示に従って、接続されている顧客情報データベース１９の情報管理を行う。
【００２６】
さらに、顧客情報管理部１２は、ウェブ情報送受信部１４とワンタイムＵＲＬ管理部１６にも接続され、ウェブ情報送受信部１４の要求で視聴者端末４０の認証を行うとともに、ワンタイムＵＲＬ管理部１６に動画再生用のトークンの発行およびワンタイムＵＲＬの生成を要求する。
【００２７】
また、顧客情報管理部１２は、メール配信部１５にも接続され、動画配信者端末３０から顧客情報データベース１９に登録されたメール配信のためのデータに従って、メール配信部１５に電子メールの配信を要求する。
【００２８】
動画管理部１３は、システム管理部１１と動画変換部１８に接続され、動画配信者端末３０からの動画のアップロード及び削除の指示、動画変換部１８への変換設定に従って、接続されている動画ストレージ２０の情報管理を行う。
【００２９】
ウェブ情報送受信部１４は、顧客情報管理部１２に接続され、インターネットを介してアクセスしてくる視聴者端末４０の認証を顧客情報管理部１２に実行させ、視聴者端末４０に設置されたウェブブラウザ４１との間で、視聴者端末４０に対応したプレイヤー４２の設定情報を含めたウェブ情報の送受信を行う。
【００３０】
メール配信部１５は、顧客情報管理部１２に接続され、顧客情報管理部１２によって動画配信者端末３０から顧客情報データベース１９に登録されたメール配信のためのデータに従って、インターネットを介して視聴者端末４０に電子メールを配信する。
【００３１】
ワンタイムＵＲＬ管理部１６は、顧客情報管理部１２に接続され、ウェブ情報送受信部１４を介して視聴者端末４０からの動画再生リクエストを受信した顧客情報管理部１２の要求により、動画再生用のトークンを発行し、接続されたトークンデータベース２１に当該トークンを保存するとともに、ワンタイムＵＲＬを生成して発行する。
【００３２】
さらに、ワンタイムＵＲＬ管理部１６は、動画配信部１７にも接続され、発行したワンタイムＵＲＬへの視聴者端末４０からのアクセスを受信した動画配信部１７の要求により、トークンの認証を行う。
【００３３】
動画配信部１７は、ワンタイムＵＲＬ管理部１６と動画ストレージ２０に接続され、インターネットを介して動画の再生を実行しようとする視聴者端末４０のトークン認証をワンタイムＵＲＬ管理部１６に実行させた後、視聴者端末４０のウェブブラウザ４１に設定されたプレイヤー４２で再生可能な形式を動画ストレージ２０にアップロードされている動画から選択し視聴者端末４０に配信する。
【００３４】
動画変換部１８は、動画ストレージ２０に接続され、動画管理部１３の設定により、動画ストレージ２０にアップロードされている動画を設定された各種形式に変換し、動画ストレージ２０に保管する。
【００３５】
（記憶手段）
顧客情報データベース１９は、顧客情報管理部１２に接続され、システム管理部１１を介して、動画配信者端末３０から登録される顧客情報、配信先である視聴者のメールアドレス情報および配信するメールの設定情報を保存する記憶手段である。
【００３６】
顧客情報データベース１９には、図３から図５に図示した顧客情報を登録する会員情報テーブル１００と、視聴者のメールアドレス情報を登録しておくアドレステーブル１０１、アドレスグループテーブル１０２およびアドレス帳テーブル１０３と、メールの設定情報を保存するメール情報テーブル１０４、動画メール関連付けテーブル１０５、メール詳細テーブル１０６およびメール配信テーブル１０７が設定される。
【００３７】
動画ストレージ２０は、動画管理部１３と動画変換部１８に接続され、システム管理部１１を介して、動画配信者端末３０からアップロードされる動画を図６に図示した動画情報テーブル２００のデータとして保存する記憶手段である。
【００３８】
また、動画管理部にて設定された変換設定に基づき、動画変換部１８で変換された動画データを保存する記憶手段でもある。
【００３９】
トークンデータベース２１は、ワンタイムＵＲＬ管理部１６に接続され、顧客情報管理部１２の要求により、ワンタイムＵＲＬ管理部１６が発行した動画再生用のトークンを図７に図示したトークン管理テーブル３００のデータとして保存する記憶手段である。
【００４０】
（データ構成）
次に、各記憶手段に設定された各種テーブルのデータ構成について、図３から図７を参照しながら説明する。
【００４１】
図３に図示した顧客情報データベース１９に設定された会員情報テーブル１００には、動画配信者が本動画配信システム１０を初めて利用する際に本人の情報（ユーザ情報）として動画配信者端末３０から入力されるニックネームと、メールアドレスと、氏名（漢字）と、氏名（カナ）と、生年月日およびログイン時の認証用のパスワードが、顧客情報管理部１２によって自動生成される会員ＩＤを付与されて保存される。
【００４２】
図４に図示した顧客情報データベース１９に設定されたアドレステーブル１０１、アドレスグループテーブル１０２およびアドレス帳テーブル１０３は、メールを配信する際に動画配信者が動画配信者端末３０から直接入力する視聴者のメールアドレスや、メールを配信するたびに入力せずに済むように、動画配信者が動画配信者端末３０からあらかじめ登録しておく視聴者のメールアドレスを保存するためのテーブルである。
【００４３】
アドレステーブル１０１には、動画配信者によって動画配信者端末３０から入力される各視聴者のメールアドレスおよび名前と、会員情報テーブル１００に登録された動画配信者の会員ＩＤをセットにして、顧客情報管理部１２によって自動生成されるアドレスＩＤを付与されて保存される。
【００４４】
また、複数の視聴者をグループ分けして管理するため、アドレスグループテーブル１０２には、動画配信者によって動画配信者端末３０から入力されるグループ名と、当該グループに含まれる視聴者のメールアドレスと名前をアドレステーブル１０１に保存する際に付与されたアドレスＩＤが、顧客情報管理部１２によって自動生成されるアドレスグループＩＤを付与されて保存される。
【００４５】
図４に図示したアドレスグループテーブル１０２では、１つのアドレスＩＤのみ例示しているが、実際にはグループに含まれる全視聴者のアドレスＩＤが保存される。
【００４６】
アドレス帳テーブル１０３には、動画配信者が動画配信者端末３０からアドレス帳を登録する際に顧客情報管理部１２によって自動生成されるアドレス帳ＩＤと、会員情報テーブル１００に登録された動画配信者の会員ＩＤと、動画配信者によってアドレスグループテーブル１０２に登録されたアドレスグループに付与されたアドレスグループＩＤと、アドレスグループに含まれない視聴者のメールアドレスに付与されたアドレステーブル１０１に登録されたアドレスＩＤが保存される。
【００４７】
図４に図示したアドレス帳テーブル１０３では、アドレスグループＩＤとアドレスＩＤを１つずつ例示しているが、実際にはアドレス帳に登録された全アドレスグループのアドレスグループＩＤと、アドレスグループに含まれずにアドレス帳に登録された全視聴者のアドレスＩＤが保存される。
【００４８】
また、図４に図示したアドレステーブル１０１には、３名の視聴者のデータのみ例示しているが、実際には動画配信者がメールを配信する際に直接入力した視聴者の分と、動画配信者がアドレス帳に登録した視聴者の分を含め、動画配信者が入力した全視聴者のメールアドレスと名前が保存される。
【００４９】
アドレス帳に登録する際に動画配信者によってグループ化された視聴者の分は、アドレスグループテーブル１０２にアドレスＩＤによってリンクし、属するグループのアドレスグループＩＤによってアドレス帳テーブル１０３にリンクする。
【００５０】
一方、動画配信者によってグループ化されなかった視聴者の分は、アドレスＩＤによってアドレス帳テーブル１０３に直接リンクする。
【００５１】
図５に図示した顧客情報データベース１９に設定されたメール情報テーブル１０４、動画メール関連付けテーブル１０５、メール詳細テーブル１０６およびメール配信テーブル１０７には、動画配信者がアップロードした動画の視聴手段をメールで配信するために動画配信者端末３０から入力するデータが設定される。
【００５２】
図５に図示したメール情報テーブル１０４には、入力している動画配信者を識別するための会員ＩＤと、動画配信者端末３０から入力されるメール配信日と、メールの件名と、メールの本文と、動画の配信開始日および配信終了日と、動画の視聴回数制限数が、顧客情報管理部１２によって自動生成されるメールＩＤを付与されて保存される。
【００５３】
図５に図示した動画メール関連付けテーブル１０５には、動画配信者がメールによって視聴手段を配信しようとしている動画にアップロードした際に付与されたコンテンツＩＤと、メール情報テーブル１０４に保存されたメール情報に付与されたメールＩＤが、顧客情報管理部１２によって自動生成されるコンテンツメールＩＤを付与されて保存される。このデータによって、メールと動画が関連付けられる。
【００５４】
図５に図示した動画メール関連付けテーブル１０５では、１つのコンテンツＩＤのみ例示しているが、１件のメールで複数の動画について通知する場合は、複数の動画分のコンテンツＩＤが保存される。
【００５５】
図５に図示したメール詳細テーブル１０６には、動画メール関連付けテーブル１０５に保存されたメールと動画の関連付けデータに付与されたコンテンツメールＩＤと、当該メールの配信先として動画配信者がアドレス帳から選択した視聴者のメールアドレスに付与されたアドレスＩＤと、当該視聴者が動画配信システム１０にログインする際に入力させるログインパスワードが、顧客情報管理部１２によって自動生成されるコンテンツメール詳細ＩＤを付与されて保存される。
【００５６】
さらに、メール詳細テーブル１０６には、動画が当該視聴者に対して公開されているか否かを示す公開状況も保存される。
【００５７】
視聴者に入力させるログインパスワードは、顧客情報管理部１２によって自動生成させてもよいし、動画配信者が動画配信者端末３０から設定してもよい。
【００５８】
図５に図示したメール詳細テーブル１０６では、１つのアドレスＩＤのみ例示しているが、１件のメールを複数の視聴者に配信する場合は、複数の視聴者分のアドレスＩＤが保存される。
【００５９】
図５に図示したメール配信テーブル１０７には、メール情報テーブル１０４の会員ＩＤをキーに会員情報テーブル１００から読み出した動画配信者の氏名とメールアドレスを差出人、メール詳細テーブル１０６のアドレスＩＤをキーにアドレステーブル１０１から読み出した視聴者の氏名とメールアドレスを宛先とし、メール情報テーブル１０４に保存されたメールの件名および本文が、顧客情報管理部１２によって自動生成されるメール配信キューＩＤを付与されて保存される。
【００６０】
次に、図６に図示した動画ストレージ２０に設定された動画情報テーブル２００には、動画配信者端末３０からアップロードされた動画に付与される動画管理部１３によって自動生成されるコンテンツＩＤと、当該動画をアップロードした動画配信者を識別するための会員ＩＤと、動画のタイトル・概要および動画データが保存される。
【００６１】
また、図７に図示したトークンデータベース２１に設定されたトークン管理テーブル３００には、ワンタイムＵＲＬ管理部１６によって発行されるトークンＩＤ、当該トークンＩＤが発行されたコンテンツＩＤ、および視聴者が動画を視聴する度に設定される残視聴回数が保存される。
【００６２】
（処理の流れ）
（１）会員情報の登録
動画配信者が動画配信システム１０にアクセスすると、システム管理部１１によって、図１０に図示したログイン画面Ｇ１が動画配信者端末３０に表示される。
【００６３】
動画配信システム１０を初めて利用する場合、動画配信者は図１０の画面のアカウント登録ボタンＢ１をクリックし、ユーザ情報を登録することになる。
【００６４】
システム管理部１１は、アカウント登録ボタンＢ１がクリックされたことを受信すると、
図１１に図示したユーザ情報登録画面Ｇ２を動画配信者端末３０に表示する。
【００６５】
動画配信者は、動画配信者端末３０に表示されたユーザ情報登録画面Ｇ２に、氏名（漢字）と、氏名（カナ）と、ニックネームと、生年月日と、メールアドレスおよびログイン時の認証用のパスワードを入力し、ユーザ情報登録画面Ｇ２のアカウント登録ボタンＢ２をクリックする。
【００６６】
システム管理部１１は、ユーザ情報登録画面Ｇ２のアカウント登録ボタンＢ２がクリックされたことを受信すると、顧客情報管理部１２を起動し、ユーザ情報登録画面Ｇ２で入力されたユーザ情報を顧客情報管理部１２に送信する。
【００６７】
顧客情報管理部１２は、動画配信者がユーザ情報登録画面Ｇ２で入力したユーザ情報を受信すると、ユーザ情報に生成した会員ＩＤを付与して、図３に図示した顧客情報データベース１９に設定された会員情報テーブル１００に保存する。
【００６８】
（２）アドレス帳の登録
動画配信者は、あらかじめ配信先である視聴者のメールアドレスをアドレス帳に登録しておくことができる。
【００６９】
メールアドレスのアドレス帳への登録には、外部のコンピュータ等で作成したメールアドレスのリストを、動画配信システム１０に一括してアップロードする手段と、１つずつ入力して登録する手段があるが、ここでは１つずつ入力して登録する手段の手順を説明する。
【００７０】
動画配信システム１０のシステム管理部１１によって動画配信者端末３０に表示される機能選択画面（図示せず）からアドレス帳登録が選択されると、システム管理部１１は顧客情報管理部１２を起動する。
【００７１】
起動された顧客情報管理部１２は、自動生成したアドレス帳ＩＤと会員情報テーブル１００に登録された動画配信者の会員ＩＤを設定した当該動画配信者用のアドレス帳データエリアを、図４に図示したアドレス帳テーブル１０３に生成する。
【００７２】
次に、システム管理部１１は、動画配信者端末３０からの要求に応じて、図１２（ａ）に図示したグループ編集画面Ｇ３や図１２（ｂ）のアドレス編集画面Ｇ４を動画配信者端末３０に表示する。
【００７３】
動画配信者が視聴者のメールアドレスをグループ分けして管理する場合、図１２（ａ）に図示したグループ編集画面Ｇ３からグループ名を入力して保存ボタンＢ３をクリックする。
【００７４】
システム管理部１１は、グループ編集画面Ｇ３の保存ボタンＢ３がクリックされたことを受信すると、顧客情報管理部１２を起動し、グループ編集画面Ｇ３で入力されたグループ名を顧客情報管理部１２に送信する。
【００７５】
顧客情報管理部１２は、動画配信者端末３０から入力されたグループ名に生成したアドレスグループＩＤを付与して、図４に図示したアドレスグループテーブル１０２に保存する。
【００７６】
同時に、顧客情報管理部１２は、アドレス帳テーブル１０３に生成された当該動画配信者用のアドレス帳データにアドレスグループＩＤを設定して、アドレス帳テーブル１０３との関連付けを行う。
【００７７】
つづいて、システム管理部１１は、動画配信者端末３０からの要求に応じて、図１２（ｂ）のアドレス編集画面Ｇ４を動画配信者端末３０に表示する。
【００７８】
動画配信者は設定したグループ名を選択して、当該グループに含める視聴者の名前とメールアドレスを入力して保存ボタンＢ４をクリックする。
【００７９】
システム管理部１１は、アドレス編集画面Ｇ４の保存ボタンＢ４がクリックされたことを受信すると、顧客情報管理部１２を起動し、アドレス編集画面Ｇ４で入力された視聴者の名前とメールアドレスを顧客情報管理部１２に送信する。
【００８０】
顧客情報管理部１２は、受信した名前とメールアドレスに自動生成したアドレスＩＤを付与して、図４に図示したアドレステーブル１０１に保存する。
【００８１】
同時に、顧客情報管理部１２は、アドレスグループテーブル１０２に生成された選択されたフループ用のアドレスグループデータにアドレスＩＤを設定して、アドレスグループテーブル１０２との関連付けを行う。
【００８２】
一方、動画配信者が視聴者のメールアドレスをグループに含めずに登録する場合、図１２（ｂ）のアドレス編集画面Ｇ４で、グループ名を選択せず、視聴者の名前とメールアドレスのみを入力して保存ボタンＢ４をクリックする。
【００８３】
顧客情報管理部１２は、グループが選択されていないと判断すると、名前とメールアドレスに自動生成したアドレスＩＤを付与して、図４に図示したアドレステーブル１０１に保存する。
【００８４】
同時に、顧客情報管理部１２は、アドレス帳テーブル１０３に生成された当該動画配信者用のアドレス帳データにアドレスＩＤを設定して、アドレス帳テーブル１０３との関連付けを行う。
【００８５】
（３）動画のアップロード
次に、動画配信者は、メール配信する前に、動画配信者端末３０に準備した動画を動画配信システム１０にあらかじめアップロードすることになる。
【００８６】
システム管理部１１によって動画配信者端末３０に表示される機能選択画面（図示せず）から、動画配信者が動画アップロードを選択すると、システム管理部１１は、動画配信者端末３０に準備した動画のリストを表示した図１３（ａ）に図示した動画選択画面Ｇ５を動画配信者端末３０に表示する。
【００８７】
動画配信者は、図１３（ａ）の動画選択画面Ｇ５に表示された動画のリストから、例えば動画ファイル名の左に設定されたチェック欄Ｃ５をチェックするなどして、アップロードする動画を選択し、アップロードボタンＢ５をクリックする。
【００８８】
以降の処理について、図８および図９の処理シーケンスを参照しながら説明する。
【００８９】
システム管理部１１は、アップロード要求を受信すると、動画管理部１３を起動する（Ｓ１）。
【００９０】
起動された動画管理部１３は、アップロード要求を受信すると、図６に図示した動画ストレージ２０に設定された動画情報テーブル２００に、自動生成したコンテンツＩＤとアップロードした動画配信者を識別するための会員ＩＤを付与して、選択された動画を登録する（Ｓ２）。
【００９１】
動画管理部１３は、アップロードのステータスをシステム管理部１１に送信し、システム管理部１１は、動画配信者端末３０に、アップロード中は図１３（ｂ）に図示した動画アップロード画面Ｇ６を表示し、動画のアップロードが完了すると図１３（ｃ）に図示した動画アップロード完了画面Ｇ７を表示する（Ｓ３）。
【００９２】
また、動画配信者は、アップロードした動画についてタイトルおよび概要を設定することが可能で、設定された情報は、図６に図示したように、動画管理部１３によって動画情報テーブル２００に設定される。
【００９３】
（４）メール情報の設定および配信
次に、動画をアップロードした旨を通知するために、動画配信者はメール情報を設定する。
【００９４】
動画配信者が、図１３（ｃ）に図示した動画アップロード完了画面Ｇ７で、アップロードされた動画ファイル名の右に表示されたメールアイコンＢ７ａをクリックしたり、動画アップロード完了画面Ｇ７の右下に表示されたマイファイルボタンＢ７ｂをクリックして、これまでアップロードしたすべての動画の動画ファイル名一覧を動画アップロード完了画面Ｇ７と同様な形式で動画配信者端末３０に表示させ、当該動画ファイル名一覧に設定されたメールアイコンをクリックしたりして、メール配信対象の動画を選択する。
【００９５】
システム管理部１１は、メール配信対象の動画が選択されると、図１４（ａ）に図示したように、選択された動画ファイル名を含むメール情報設定画面Ｇ８を動画配信者端末３０に表示する。
【００９６】
なお、メール情報を設定したあとでも、メール配信対象の動画を選択して追加、変更できる。
【００９７】
動画配信者は、動画配信者端末３０に表示されたメール情報設定画面Ｇ８のメールタイトル欄にメールの件名を入力する。
【００９８】
次に、動画配信者が、送信先アドレス欄に視聴者のメールアドレスと名前をアドレス帳から入力するために、アドレス帳ボタンＢ８ａをクリックした場合、システム管理部１１は、顧客情報管理部１２にメールアドレス要求を行う（Ｓ４）。
【００９９】
顧客情報管理部１２は、メールアドレス要求を受信すると、会員ＩＤをキーに図４に図示したアドレス帳テーブル１０３を検索し、関連付けられているアドレスグループテーブル１０２とアドレステーブル１０１のデータとともに顧客情報データベース１９からメールアドレスのデータを取得する（Ｓ５）。
【０１００】
顧客情報管理部１２は、取得したデータをシステム管理部１１に送信し、システム管理部１１は図１５に図示したアドレス帳画面Ｇ１１を動画配信者端末３０に表示する（Ｓ６）。
【０１０１】
動画配信者が、動画配信者端末３０に表示されたアドレス帳画面Ｇ１１で、視聴者の名前の右に設定されたチェック欄Ｃ１１をチェックして、送付先設定ボタンＢ１１をクリックすると、システム管理部１１は、選択された視聴者のメールアドレスと名前をメール情報設定画面Ｇ８の送信先アドレス欄に設定する（Ｓ７）。
【０１０２】
一方、図８の処理シーケンスには図示されていないが、動画配信者が、メール情報設定画面Ｇ８の送信先アドレス欄に視聴者のメールアドレスと名前を直接入力した場合、システム管理部１１は、入力された視聴者のメールアドレスと名前を顧客情報管理部１２に送信し、顧客情報管理部１２は、受信した視聴者のメールアドレスと名前に自動生成したアドレスＩＤを付与して、図４に図示したアドレステーブル１０１に保存する。
【０１０３】
次に、システム管理部１１は、動画配信者がメール情報設定画面Ｇ８のメッセージ欄に入力したメールの本文を設定する（Ｓ８）。
【０１０４】
さらに、動画配信者は、既に選択した動画以外に配信する動画がある場合はその動画のファイル名や、メール情報設定画面Ｇ８の公開期間設定欄および視聴ページ有効期間欄に動画の配信開始日および配信終了日の情報を入力し、図１４（ａ）のメール情報設定画面Ｇ８には入力欄を図示されていないが、動画の視聴回数制限数やメール配信日を入力する。
【０１０５】
動画配信者は、メール情報設定画面Ｇ８で入力が完了すると、メール配信ボタンＢ８ｂをクリックする。
【０１０６】
システム管理部１１は、メール配信ボタンＢ８ｂがクリックされると、メール情報設定画面Ｇ８で入力されたメール配信情報の内容を動画配信者に確認させるために、メール配信画面で入力されたメール配信情報を設定した図１４（ｂ）に図示した内容確認画面Ｇ９を動画配信者端末３０に表示する。
【０１０７】
さらに、システム管理部１１は、動画配信者の会員ＩＤと動画配信者によって選択された動画のコンテンツＩＤを動画管理部１３に送信して、動画管理部１３に選択された動画の動画設定内容と視聴ページＵＲＬの発行を要求する（Ｓ９）。
【０１０８】
動画管理部１３は、システム管理部１１から受信した動画配信者の会員ＩＤと動画のコンテンツＩＤをキーに動画ストレージ２０の動画情報テーブル２００を検索して、動画の所在を確認し、当該動画のアクセス先としての視聴ページＵＲＬを発行する（Ｓ１０）。
【０１０９】
動画管理部１３は、発行した視聴ページＵＲＬとともに、動画設定内容として動画情報テーブル２００に設定された動画のタイトルおよび概要をシステム管理部１１に返信する（Ｓ１１）。
【０１１０】
システム管理部１１は、動画管理部１３から受信した視聴ページＵＲＬ、動画のタイトルおよび概要を、メール情報テーブル１０４の本文に組み込む。
【０１１１】
動画配信者は、図１４（ｂ）に図示した内容確認画面Ｇ９で内容を確認した後、内容確認画面Ｇ９のメール配信ボタンＢ９をクリックする。
【０１１２】
システム管理部１１は、メール配信ボタンＢ９がクリックされると、視聴ページＵＲＬと、メールの本文、送信先メールアドレスおよび動画設定内容など、図１４（ｂ）の内容確認画面Ｇ９で表示した情報をすべて含めて、顧客情報管理部１２にメール配信要求をする（Ｓ１２）。
【０１１３】
顧客情報管理部１２は、メール配信要求とともに情報を受信すると、視聴者がログインする際に必要なログインパスワードを発行する（Ｓ１３）。
【０１１４】
なお、ログインパスワードを動画配信者が動画配信者端末３０から設定する場合、設定されたログインパスワードはシステム管理部１１から顧客情報管理部１２に送信されるので、この処理は不要である。
【０１１５】
顧客情報管理部１２は、システム管理部１１からメール配信要求とともに受信した情報を、図５に図示した顧客情報データベース１９に設定されたメール情報テーブル１０４、動画メール関連付けテーブル１０５およびメール詳細テーブル１０６に関連付けられながら保存する（Ｓ１４）。
【０１１６】
さらに、顧客情報管理部１２は、メール情報テーブル１０４に保存した会員ＩＤをキーに会員情報テーブル１００から読み出した動画配信者の氏名とメールアドレスを差出人、メール詳細テーブル１０６のアドレスＩＤをキーにアドレステーブル１０１から読み出した視聴者の氏名とメールアドレスを宛先とし、メール情報テーブル１０４に保存したメールの件名と、動画設定内容、ログインパスワードおよびシステム管理部１１から受信した視聴ページＵＲＬを含めた本文を、自動生成したメール配信キューＩＤを付与して、図５に図示したメール配信テーブル１０７に保存して、メール配信部１５にメール配信指示を出す（Ｓ１５）。
【０１１７】
メール配信部１５は、メール配信テーブル１０７に保存された情報とともにメール配信指示を受信すると、メール配信テーブル１０７に保存された情報の宛先に対して、メール配信テーブル１０７に保存された情報の電子メールを配信する（Ｓ１６）。
【０１１８】
メール配信部１５は、電子メールの配信が完了すると、メール配信完了通知を顧客情報管理部１２経由でシステム管理部１１に通知する（Ｓ１７）。
【０１１９】
システム管理部１１は、メール配信完了通知を受信すると、動画配信者端末３０に図１４（ｃ）に図示したメール送信完了画面Ｇ１０を表示する。
【０１２０】
（５）メール受信
メール配信部１５により送信された電子メールは、視聴者端末４０に実装された電子メールソフトウェア（以下、メーラー４３という）によって受信される（Ｓ１８）。
【０１２１】
視聴者は、視聴者端末４０にメーラー４３を実装する代わりに、ブラウザ４１上で電子メールの管理を行うウェブメーラーを使用しても構わない。
【０１２２】
視聴者は、視聴者端末４０のメーラー４３で受信した電子メールを開き、本文中に設定された視聴ページＵＲＬをクリックして、インターネットを介して動画配信システム１０のウェブ情報送受信部１４にアクセスする（Ｓ１９）。
【０１２３】
ウェブ情報送受信部１４は、視聴者が視聴ページＵＲＬをクリックしてウェブ情報送受信部１４にアクセスしてきた時に、視聴者端末４０のＨＴＴＰユーザーエージェントによって、視聴者端末４０の機種、視聴者端末４０で使用されているブラウザ４１とそのバージョン番号、およびシステムの詳細（オペレーティングシステムとそのバージョンなど）などの視聴者端末情報を取得する。
【０１２４】
ウェブ情報送受信部１４は、これ以降の処理では、取得した視聴者端末情報に応じて、視聴者端末４０のブラウザ４１に表示するウェブページの情報を最適化して送信する。
【０１２５】
ウェブ情報送受信部１４は、アクセスしてきた視聴者端末４０に実装されたブラウザ４１によって、図１６に図示した視聴ページへのログイン画面Ｇ１２を表示させる（Ｓ２０）。
【０１２６】
視聴者は、視聴者端末４０に表示されたログイン画面Ｇ１２から、電子メールを受信したメールアドレスと、本文中に設定されたログインパスワードを入力し、視聴ページボタンＢ１２をクリックして、視聴ページにログインする（Ｓ２１）。
【０１２７】
ウェブ情報送受信部１４は、視聴者端末４０からメールアドレスとログインパスワードを受信すると、顧客情報管理部１２に受信したメールアドレスとログインパスワードを送信して視聴者の認証を要求する（Ｓ２２）。
【０１２８】
顧客情報管理部１２は、認証要求を受信すると、受信したメールアドレスをキーに、顧客情報データベース１９に設定された図４に図示したアドレステーブル１０１を検索し、当該メールアドレスに付与されたアドレスＩＤを読み出す。
【０１２９】
次に、顧客情報管理部１２は、読み出したアドレスＩＤをキーに図５に図示したメール詳細テーブル１０６を検索し、当該アドレスＩＤに割り当てたログインパスワードを読み出し、ウェブ情報送受信部１４から受信したログインパスワードと照合して、ログイン認証を行う（Ｓ２３）。
【０１３０】
顧客情報管理部１２は、認証が完了すると、ウェブ情報送受信部１４に認証結果を送信する（Ｓ２４）。
【０１３１】
ウェブ情報送受信部１４は、受信した認証結果を判断し、アクセスが承認されていれば、つづいて、顧客情報管理部１２に顧客情報データベース１９に保存されている動画情報（動画設定内容）を要求する（Ｓ２５）。
【０１３２】
顧客情報管理部１２は、動画情報要求を受信すると、前の処理でアドレスＩＤをキーに検索して読み出した図５に図示したメール詳細テーブル１０６に保存されたデータからコンテンツメールＩＤを取得し、当該コンテンツメールＩＤをキーに図５に図示した動画メール関連付けテーブル１０５を検索し、当該コンテンツメールＩＤと関連付けられているメール情報のメールＩＤおよびコンテンツＩＤを読み出す。
【０１３３】
さらに、顧客情報管理部１２は、読み出したメールＩＤをキーに図５に図示したメール情報テーブル１０４を検索して、保存されているデータのうち動画の配信開始日および配信終了日を配信期間とし、視聴回数制限数を残視聴回数とし、メールの件名をメールタイトルとし、メールの本文の内容をメッセージ、動画のタイトルおよび概要として動画設定内容を編集する。
【０１３４】
顧客情報管理部１２は、編集した動画設定内容と、動画メール関連付けテーブル１０５から読み出したコンテンツＩＤをウェブ情報送受信部１４に送信する（Ｓ２６）。
【０１３５】
ウェブ情報送受信部１４は、動画設定内容とコンテンツＩＤを受信すると、例えば動画設定内容に設定された配信期間や残視聴回数を認証情報として、受信したコンテンツＩＤとともに再生ＵＲＬリクエストを顧客情報管理部１２に送信する（Ｓ２７）。
【０１３６】
顧客情報管理部１２は、再生ＵＲＬリクエストを受信すると、現在の日付が認証情報として受信した配信期間内か判定し、再生権利の確認を行う（Ｓ２８）。
【０１３７】
顧客情報管理部１２は、再生権利の確認が済むと、ウェブ情報送受信部１４から受信したコンテンツＩＤとともに、視聴者端末情報、視聴者のアドレスＩＤ、および受信した残視聴回数をクライアント情報としてワンタイムＵＲＬ管理部１６に送信し、ワンタイムＵＲＬ発行を要求する（Ｓ２９）。
【０１３８】
ワンタイムＵＲＬ管理部１６は、ワンタイムＵＲＬ発行要求とともに受信したコンテンツＩＤとクライアント情報を基に、受信したコンテンツＩＤの付与された動画を再生する際の認証に利用するトークンＩＤを発行し、受信したコンテンツＩＤと残視聴回数とともに、トークンデータベース２１に設定された図７に図示したトークン管理テーブル３００に保存する（Ｓ３０）。
【０１３９】
ワンタイムＵＲＬ管理部１６は、発行したトークンＩＤと、クライアント情報の視聴者端末情報に対応して動画を再生させるための情報、ブラウザ４１に設定するプレイヤー４２の形式やサイズなどの情報、視聴者のアドレスＩＤを含めたワンタイムＵＲＬを作成して、顧客情報管理部１２に返信する（Ｓ３１）。
【０１４０】
顧客情報管理部１２は、ワンタイムＵＲＬを受信すると、コンテンツＩＤと受信したワンタイムＵＲＬをウェブ情報送受信部１４に送信する（Ｓ３２）。
【０１４１】
ウェブ情報送受信部１４は、以上の情報をすべて受信すると、ワンタイムＵＲＬを含め、配信期間、メールタイトル、メッセージ、動画タイトル、概要および残視聴回数を動画設定内容とした図１７に図示した視聴ページＧ１３を、アクセスしてきた視聴者端末４０のブラウザ４１によって表示させる（Ｓ３３）。
【０１４２】
このとき、ワンタイムＵＲＬに含められた動画を再生させるための情報、ブラウザ４１に設定するプレイヤー４２の形式やサイズなどの情報によって、視聴者端末４０のブラウザ４１にプレイヤー４２が表示される。
【０１４３】
視聴者は、ブラウザ４１上に表示された図１７に図示した視聴ページＧ１３のプレイヤー４２の再生ボタンＢ１３をクリックし、動画を再生させる（Ｓ３４）。
【０１４４】
プレイヤー４２は、ブラウザ４１からの再生要求を受信して、ワンタイムＵＲＬによって指定された動画配信システム１０の動画配信部１７にアクセスし、コンテンツＩＤとトークンＩＤを動画配信部１７に送信する（Ｓ３５）。
【０１４５】
動画配信部１７は、視聴者端末４０からアクセスにより受信したコンテンツＩＤとトークンＩＤをワンタイムＵＲＬ管理部１６に送信し、トークン認証を要求する（Ｓ３６）。
【０１４６】
ワンタイムＵＲＬ管理部１６は、トークン認証要求を受信し、受信したコンテンツＩＤとトークンＩＤが、トークンデータベース２１に設定された図７に図示したトークン管理テーブル３００の保存されたコンテンツＩＤとトークンＩＤと一致するかを判定し、さらに、一致したトークンＩＤとともに保存された残視聴回数がゼロになっていないか判定して、トークン認証を行う（Ｓ３７）。
【０１４７】
ワンタイムＵＲＬ管理部１６は、トークン認証により承認された場合、残視聴回数を１減算して保存し、認証結果を動画配信部１７に送信する。もしトークン認証により拒否された場合は、その認証結果を直ちに動画配信部１７に送信する（Ｓ３８）。
【０１４８】
図９には図示されていないが、動画変換部１８は動画配信者端末３０からアップロードされ、動画ストレージ２０に保存された動画データを、動画管理部で管理される変換設定情報に基づいて変換し、変換後の各種動画データは動画ストレージ２０に保存される。
【０１４９】
動画配信部１７は、受信した認証結果を判定し、再生が承認された場合、図９には図示していないが、
受信したコンテンツＩＤを付与された動画を動画ストレージ２０から検索し、動画データのファイル形式を視聴者端末情報に対応したプレイヤー４２で再生可能な形式を選択し、
動画データを視聴者端末４０のプレイヤー４２にストリーミングする（Ｓ３９）。
【０１５０】
視聴者は、視聴者端末４０のプレイヤー４２によって、ストリーミングされてくる動画データを再生して視聴する（Ｓ４０）。
【０１５１】
その他、システム管理部１１によって動画配信者端末３０に表示される機能選択画面から、動画配信者が履歴表示を選択されると、システム管理部１１は、顧客情報データベース１９に保存されたメール情報テーブル１０４を会員ＩＤでキー検索し、該当するいままで配信したメール情報を一覧にした図１８（ａ）に図示したメール配信履歴画面Ｇ１４を、動画配信者端末３０に表示する。
【０１５２】
メール配信履歴画面Ｇ１４のメール一覧から１件を選択してクリックすると、当該メールの設定情報と、配信したコンテンツ名と公開状況、配信先と各視聴者の公開状況などが、図１８（ｂ）に図示したメール配信状況確認画面Ｇ１５として動画配信者端末３０に表示される。
【０１５３】
動画配信者が、メール配信状況確認画面Ｇ１５で配信先の右に設定されたチェック欄Ｃ１５をチェックし、コンテンツの視聴停止ボタンＢ１５をクリックすると、システム管理部１１は、指定された宛先を顧客情報管理部１２に送信し、公開状況の更新を要求する。
【０１５４】
顧客情報管理部１２は、公開状況の更新要求を受信して、選択されたメールのメールＩＤから動画メール関連付けテーブル１０５を経由してメール詳細テーブル１０６のデータを検索し、指定された宛先のアドレスＩＤの公開状況のデータを公開停止に更新する。
【０１５５】
従って、本実施の形態のシステムは、特定の方にメールで動画を通信ネットワークで配信できることになる。
【０１５６】
以上に示した本実施の形態は、本発明の技術的思想を具体化するための装置や処理手順を例示するものであって、構成部品の配置や処理の順番等を限定するものではない。本発明の技術的思想は、特許請求の範囲に記載された技術的範囲内において、種々の変更を加えることができる。図面は模式的なものであり、装置の構成等は現実のものとは異なることに留意すべきである。
【符号の説明】
【０１５７】
１０、１０ａ  動画配信システム
１１      システム管理部
１２      顧客情報管理部
１３      動画管理部
１４      ウェブ情報送受信部
１５      メール配信部
１６      ワンタイムＵＲＬ管理部
１７      動画配信部
１８      動画変換部
１９      顧客情報データベース
２０      動画ストレージ
２１      トークンデータベース
１１ａ    システム管理サーバ
１２ａ    顧客情報管理サーバ
１３ａ    動画管理サーバ
１４ａ    ウェブサーバ
１５ａ    メール配信サーバ
１６ａ    ワンタイムＵＲＬ管理サーバ
１７ａ    動画配信サーバ
１８ａ    動画変換サーバ
３０      動画配信者端末
４０      視聴者端末
４０ａ    パーソナルコンピュータ
４０ｂ    携帯電話機
４０ｃ    携帯情報端末
１００    会員情報テーブル
１０１    アドレステーブル
１０２    アドレスグループテーブル
１０３    アドレス帳テーブル
１０４    メール情報テーブル
１０５    動画メール関連付けテーブル
１０６    メール詳細テーブル
１０７    メール配信テーブル
２００    動画情報テーブル
３００    トークン管理テーブル
Ｇ１      動画配信システムへのログイン画面
Ｇ２      動画配信システムへのユーザ情報登録画面
Ｇ３      アドレス帳へのグループ登録画面
Ｇ４      アドレス帳へのアドレス登録画面
Ｇ５      動画配信システムへのアップロードする動画選択画面
Ｇ６      動画配信システムへの動画アップロード画面
Ｇ７      動画配信システムへの動画アップロード完了画面
Ｇ８      メール情報設定画面
Ｇ９      メール情報の内容確認画面
Ｇ１０    メール配信完了画面
Ｇ１１    アドレス帳画面
Ｇ１２    視聴ページへのログイン画面
Ｇ１３    視聴ページの動画再生画面
Ｇ１４    メール配信履歴画面
Ｇ１５    メール配信状況確認画面
【図１】
2013229644.tif 000003
【図２】
2013229644.tif 000004
【図３】
2013229644.tif 000005
【図４】
2013229644.tif 000006
【図５】
2013229644.tif 000007
【図６】
2013229644.tif 000008
【図７】
2013229644.tif 000009
【図８】
2013229644.tif 000010
【図９】
2013229644.tif 000011
【図１０】
2013229644.tif 000012
【図１１】
2013229644.tif 000013
【図１２】
2013229644.tif 000014
【図１３】
2013229644.tif 000015
【図１４】
2013229644.tif 000016
【図１５】
2013229644.tif 000017
【図１６】
2013229644.tif 000018
【図１７】
2013229644.tif 000019
【図１８】
2013229644.tif 000020